(57)【要約】【課題】構成を簡易とし、樹脂成形や、組付工程が容易で、製造コストの低い定量吐出容器を提供すること。【解決手段】  定量吐出用のキャップを口部に組み付けた定量吐出容器において、容器本体の上部に、キャップを組み付ける組付部を備え、組付部の上部に連続して頂壁を形成し、容器本体内部に連通し、該頂壁上に立ち上げられた口部筒体を備え、キャップは、組付部の外周面に組み付けられる外壁と、外壁の上部に連続した頂壁とを備え、該頂壁の内面に筒状で、前記口部筒体を囲う仕切壁を設け、該仕切壁と前記外壁の間に開閉蓋により開閉自在に覆われる注出口を開口させて形成し、定量吐出容器を構成した。【選択図】図１
2006151461.tif 000002
【特許請求の範囲】
【請求項１】
容器本体に定量吐出用のキャップを組み付けた定量吐出容器において、
容器本体の上部に、キャップを組み付ける組付部と、該組付部の上部に連続して形成した頂壁を備え、該頂壁上に、容器本体内部に連通する口部筒体を立ち上げ、
前記キャップは、前記組付部の外周面に組み付けられる外壁と、外壁の上部に連続した頂壁とを備え、該頂壁の内面に、前記口部筒体を囲う周状の仕切壁を有し、該仕切壁と前記外壁の間に開閉蓋により開閉自在に覆われる注出口を開口させたことを特徴とする定量吐出容器。
【請求項２】
前記キャップを一体樹脂成形した請求項１に記載の定量吐出容器。
【発明の詳細な説明】
【技術分野】
【０００１】
本発明は、構成が簡易な定量吐出容器に関する。
【背景技術】
【０００２】
従来、容器の口部に定量キャップを取り付け、容器内に収納された洗剤や砂糖などの内容物を定量キャップから一定量ずつ吐出させることができる定量吐出容器が知られている。
【０００３】
このような定量吐出容器に組みつけられている定量キャップは、キャップ内部に計量室と貯留室とを有し、計量室で計量された内容物を貯留室で一時溜めておき、定量吐出容器を倒立させると貯留室に貯留された内容物が吐出されて常に所定の内容物が吐出されるとともに、内容物が容器内から計量室に流出して計量され、容器を正立状態に戻すと計量室で計量された内容物が貯留室に移動して次の内容物の吐出に備えるようにしている。
【特許文献１】特開平９−９９９６６号公報
【発明の開示】
【発明が解決しようとする課題】
【０００４】
しかしながら、従来の定量キャップは計量室や貯留室などを内部に有するため構造が複雑となり、２以上のパーツを組み合わせて形成するなど、定量キャップのパーツ数が多くなり、その成形や組付けに手間がかかり、定量吐出容器の製造コストが大きくなっていた。
【０００５】
本発明は、構成を簡易とし、成形や、組み付けが容易で、製造コストの低い定量吐出容器を提供することを目的とする。
【課題を解決するための手段】
【０００６】
本発明は、上記目的を解決するため次のように定量吐出容器を構成した。
【０００７】
定量吐出用のキャップを容器本体の口部に組み付けた定量吐出容器において、
前記容器本体の上部に、キャップを組み付ける組付部を備え、該組付部の上部に連続して頂壁を形成し、該頂壁上に、容器本体内部に連通する口部筒体を立ち上げ、
前記キャップは、前記組付部の外周面に組み付けられる外壁と、外壁の上部に連続した頂壁とを備え、該頂壁の内面に、前記口部筒体を囲う周状の仕切壁を有し、該仕切壁と前記外壁の間に開閉蓋により開閉自在に覆われる注出口を開口させて定量吐出容器を構成した。
【０００８】
定量吐出容器のキャップは、開閉蓋を含めて樹脂により一体に成形することとする。尚、開閉蓋は別体として、後処理で組み付けてもよい。容器本体の口部筒体と頂壁は、従来の製法で一体に形成する。
【０００９】
容器本体とキャップとは、ねじによる組付けが好ましいが、ねじでなく嵌め合わせや接着、溶着等でもよい。キャップと容器本体とは、その間に内容物を噛みこまないよう密に接していることが好ましい。
【００１０】
口部筒体の突出長さ、仕切壁の直径は計量室や貯留室の容積を決定するので適宜選択する。口部筒体は容器本体の中央に配置しなくともよく、また仕切壁と口部筒体の中心を一致させて形成しなくともよい。またそれらは円筒形に限るものではない。
【発明の効果】
【００１１】
本発明の定量吐出容器は、容器本体の口部筒体及び頂板を計量室や貯留室を形成する構成部材の一部として利用でき、定量吐出容器の全体構成を簡易にできる。キャップの構成が簡易になり、樹脂による一体成形により容易に成形できる。したがって複数からなるパーツを組み立てる手間が必要なくなる。容器本体にキャップを組み付けて定量吐出容器を構成でき、定量吐出容器の組み付け工程を大幅に簡略化できる。
【００１２】
口部筒体の頂板からの突出長さや仕切壁の広さを異ならせることにより、計量室の容量を変更させて、吐出量の異なる定量吐出容器を容易に製造できる。
【００１３】
定量吐出容器は、キャップ内に形成された計量室と貯留室において容器本体内の内容物を計量、貯留し、定量吐出容器を倒立させるごとに一定量の内容物を注出口より確実に吐出させることができる。
【発明を実施するための最良の形態】
【００１４】
図６に定量吐出容器２の全体を示す。定量吐出容器２は、容器本体４と、容器本体４に組み付けられるキャップ６とから構成されている。
【００１５】
容器本体４は有底円筒状の樹脂製容器であり、例えば漂白剤や洗剤等の粉粒状の内容物が収納されている。容器本体４の上部外周には、ねじ条１０を有する組付部８が設けてある。組付部８の上端には、組付部８に連続してほぼ平板状の頂板１２が形成してある。
【００１６】
頂板１２の中央には、容器本体４の内部に連通した口部筒体１４が容器本体４の上方に向けて形成してある。口部筒体１４の開口部にはアルミ箔などからなるシール材１３が取り外し可能に接着してあり、容器本体４の内部がシール材１３により密閉されている。
【００１７】
キャップ６は図１及び図２に示すように有頂円筒体状で、円筒状の外壁１６と外壁１６の上端に連続して形成された頂壁１８を備え、頂壁１８の一方の端部にヒンジ２１を介して開閉蓋２２が屈曲自在に取り付けてある。
【００１８】
外壁１６は組付部８に嵌合する内径で、下部内面にはねじ条１０に螺合するねじ条２０が形成してある。頂壁１８の内面の中央には、円筒状の仕切壁２４が設けられている。仕切壁２４は口部筒体１４の周囲を囲うように外壁１６から所定の間隔をあけて設けられ、かつ仕切壁２４の下端は、キャップ６を容器本体４に取り付けたとき、口部筒体１４の上端より下方に位置するように形成してある。これにより口部筒体１４の上方に計量室５が形成される。
【００１９】
また頂壁１８には、ヒンジ２１に対向した端部に注出口２６が形成されている。注出口２６は、外壁１６と仕切壁２４とにより環状に区画形成された箇所に開口しており、頂板１２と口部筒体１４と外壁１６で区画形成された貯留室７に連通し、開閉蓋２２により開閉される。
【００２０】
キャップ６は、この開閉蓋２２を含めて樹脂により一体に成形されている。尚開閉蓋２２は別途成形して、開閉自在に外壁１６に組み付けるように構成してもよい。
【００２１】
定量吐出容器２は、以上述べたように口部筒体１４を備えた容器本体４と、ねじ止めにより容器本体４に固定されるキャップ６から構成されており、容器本体４とキャップ６ともに樹脂による一体成形が可能で、またキャップ６を組付部８に組付け、螺合させるだけで形成することができる。
【００２２】
次に、定量吐出容器２を用いた内容物の定量吐出動作について具体的に説明する。
【００２３】
口部筒体１４の開口端にはシール材１３が貼られ、容器本体４に収納された粉状の洗剤が密封されている。キャップ６はねじ条２０をねじ条１０に螺合させ、図１に示すように容器本体４に組み付けてある。
【００２４】
使用にあたりまずキャップ６を容器本体４から取り外して口部筒体１４のシール材１３を剥がし、キャップ６を再度容器本体４に組み付ける。
【００２５】
次に定量吐出容器２を倒立させ、洗剤を容器本体４から計量室５に流入させる。（図３参照。）次に定量吐出容器２を正立状態に戻して、洗剤を計量室５から貯留室７に流出させ、図４に示すように貯留室７に洗剤を溜める。
【００２６】
そして開閉蓋２２を開放して、定量吐出容器２を倒立させる。すると図５に示すように貯留室７に貯留されている洗剤が注出口２６を通って吐出される。洗剤は既に計量室５で計量されて貯留されているので、正確な量の洗剤が注出口２６より吐出される。
【００２７】
また定量吐出容器２を倒立させて洗剤を吐出させたとき、上記したと同様に口部筒体１４を通って計量室５に流入した洗剤が、定量吐出容器２を正立に戻したとき貯留室７に流入して貯留され、次の吐出に対応する。
【００２８】
定量吐出容器２の倒立を繰り返すと毎回定量の洗剤を注出口２６より吐出させることができ、洗剤の吐出が終了したなら、開閉蓋２２を閉じて保管する。尚内容物は粉粒状の洗剤に限るものではなく、粉体や液体のその他の物質であってもよい。
【図面の簡単な説明】
【００２９】
【図１】本発明にかかる定量吐出容器の一実施形態を示す断面図である。
【図２】定量吐出容器の一実施形態を示す組み立て断面図である。
【図３】定量吐出容器を示す断面図である。
【図４】定量吐出容器を示す断面図である。
【図５】定量吐出容器を示す断面図である。
【図６】定量吐出容器を示す斜視図である。
【符号の説明】
【００３０】
２    定量吐出容器
４    容器本体
５    計量室
６    キャップ
７    貯留室
８    組付部
１０、２０  ねじ条
１２  頂板
１３  シール材
１４  口部筒体
１６  外壁
１８  頂壁
２１  ヒンジ
２２  開閉蓋
２４  仕切壁
２６  注出口
【図１】
2006151461.tif 000003
【図２】
2006151461.tif 000004
【図３】
2006151461.tif 000005
【図４】
2006151461.tif 000006
【図５】
2006151461.tif 000007
【図６】
2006151461.tif 000008